(57)【要約】      （修正有）【課題】客にとって不要な情報項目の印字を省略したレシートを発行できるようにする。【解決手段】決済装置は、領収書媒体を印字発行する印字装置１３４と、情報を表示する表示装置１３２とを備える。決済装置は、選択手段１３３と、発行手段１３４とを有する。選択手段は、決済後に、領収書媒体に印字する情報項目を選択する選択画面を表示装置に表示し、選択画面における選択操作に応じて領収書媒体に印字する情報項目を選択する。発行手段は、印字装置により、選択手段で選択された情報項目を印字し且つ選択手段で選択されていない情報項目を印字しない領収書媒体を発行する。【選択図】図５
2012008840.tif 000002
【特許請求の範囲】
【請求項１】
領収書媒体を印字発行する印字装置と、情報を表示する表示装置とを備える決済装置であって、
決済後に、前記領収書媒体に印字する情報項目を選択する選択画面を前記表示装置に表示し、前記選択画面における選択操作に応じて前記領収書媒体に印字する情報項目を選択する選択手段と、
前記印字装置により、前記選択手段で選択された情報項目を印字し且つ前記選択手段で選択されていない情報項目を印字しない領収書媒体を発行する発行手段と、
を有する決済装置。
【請求項２】
前記選択手段は、一取引毎の決済に対応した全ての情報項目を含む領収書媒体のイメージ画像と、前記イメージ画像に含まれる情報項目毎に当該情報項目の印字をする／しないを選択する複数の選択アイコンとを前記選択画面で表示する、請求項１に記載の決済装置。
【請求項３】
前記選択手段は、前記領収書媒体のイメージ画像に含まれる各情報項目と、前記各情報項目に対応付けられた前記選択アイコンとの対応関係が視認できる態様の前記選択画面を表示する、請求項２に記載の決済装置。
【請求項４】
前記選択手段は、前記選択画面で、前記選択アイコンの選択に応じて、印字しない情報項目の表示を省略する領収書媒体のイメージ画像を更に表示する、請求項２または３に記載の決済装置。
【請求項５】
客自身により商品登録操作及び決済操作が行われるセルフ式の決済装置である、請求項１〜４のいずれか一項に記載の決済装置。
【請求項６】
領収書媒体を印字発行する印字装置と、情報を表示する表示装置とを備える決済装置に実装されるコンピュータを、
決済後に、前記領収書媒体に印字する情報項目を選択する選択画面を前記表示装置に表示し、前記選択画面における選択操作に応じて前記領収書媒体に印字する情報項目を選択する選択手段と、
前記印字装置により、前記選択手段で選択された情報項目を印字し且つ前記選択手段で選択されていない情報項目を印字しない領収書媒体を発行する発行手段と、
して機能させるプログラム。
【発明の詳細な説明】
【技術分野】
【０００１】
本発明の実施形態は、決済装置及びプログラムに関する。
【背景技術】
【０００２】
従来、レシートを印字発行するＰＯＳ（Ｐｏｉｎｔ  Ｏｆ  Ｓａｌｅｓ  Ｓｙｓｔｅｍ）端末が一般的に良く知られている。
【発明の概要】
【発明が解決しようとする課題】
【０００３】
しかしながら、従来のＰＯＳ端末にあっては、客にとって不要な情報項目の印字を省略したレシートを発行することはできなかった。
【課題を解決するための手段】
【０００４】
実施形態の決済装置は、領収書媒体を印字発行する印字装置と、情報を表示する表示装置とを備える。また、決済装置は、選択手段と、発行手段と、を有する。選択手段は、決済後に、前記領収書媒体に印字する情報項目を選択する選択画面を前記表示装置に表示し、前記選択画面における選択操作に応じて前記領収書媒体に印字する情報項目を選択する。発行手段は、前記印字装置により、前記選択手段で選択された情報項目を印字し且つ前記選択手段で選択されていない情報項目を印字しない領収書媒体を発行する。
【図面の簡単な説明】
【０００５】
【図１】図１は、実施形態に係る決済装置の外観構成を説明するための斜視図である。
【図２】図２は、ディスプレイに表示されるレシート発行メニュー画面の一構成例を説明するための図である。
【図３】図３は、ディスプレイに表示される印字情報選択画面の一構成例を説明するための図である。
【図４】図４は、決済端末のハードウェア構成を説明するためのブロック図である。
【図５】図５は、決済装置における機能的構成を説明するためのブロック図である。
【図６】図６は、決済装置で実行される全体的な処理の流れを示すフローチャートである。
【図７】図７は、図６のステップの詳細な処理の流れを説明するためのフローチャートである。
【図８】図８は、本実施形態の決済装置で発行されるレシートの一構成例を示す図である。
【発明を実施するための形態】
【０００６】
以下、実施形態について添付図面を参照して説明する。
【０００７】
なお、以下では、本実施形態の決済装置として、客自身により商品登録操作及び決済操作が行われるセルフ式の決済装置であって、現金による支払いが可能なセルフ式の決済装置の場合について説明する。
【０００８】
図１は、実施形態に係る決済装置１の外観構成を説明するための斜視図である。
【０００９】
図１に示すように、この決済装置１では、タッチパネル式の液晶ディスプレイ（以下、単に「ディスプレイ」という。）２、スキャナ３、カード挿入口４、レシート発行口５、硬貨投入口６、硬貨排出口７、紙幣投入口８、紙幣排出口９、手持ち式スキャナ１０、カメラ１１、マイク１２、スピーカ１３などを備えている。
【００１０】
また、この決済装置１の本体ハウジング部（筐体）の一側面（図の右側の面）には、決済前の商品を載置及び計量するための商品載置台１４が取り付けられており、他の側面（図の左側の面）側には、決済済みの商品を載置及び計量するための商品載置台１５が隣接設置されている。
【００１１】
ここで、ディスプレイ２は、操作方法などの各種情報を表示する情報画面を表示するものであり、本実施形態では、レシート発行メニュー画面Ｓ１（図２参照）や印字情報選択画面Ｓ２（図３参照）などを表示する。
【００１２】
図２は、ディスプレイ２に表示されるレシート発行メニュー画面Ｓ１の一構成例を説明するための図である。
【００１３】
図２に示すように、このレシート発行メニュー画面Ｓ１は、レシートＲの発行態様を客に選択させるための画面であり、この例のレシート設定画面Ｓ１には、全ての情報項目を印字する場合に選択操作される「そのままレシート発行する」選択アイコンＩ１と、レシートＲに印字する情報項目を選択する場合に選択操作される「印字する情報項目を選択する」選択アイコンＩ２と、レシートを発行しない場合に選択操作される「レシート発行しない」選択アイコンＩ３などが設けられている。
【００１４】
図３は、レシート発行メニュー画面Ｓ１の「印字する情報項目を選択する」選択アイコンＩ２が選択操作された場合にディスプレイ２に表示される印字情報選択画面Ｓ２の一構成例を説明するための図である。
【００１５】
図３に示すように、この印字情報選択画面Ｓ２は、レシートＲに印字する情報項目を客に選択させるための画面であり、この例では、第１のレシートイメージＰ１と、選択アイコン群ＩＧと、第２のレシートイメージＰ２と、「戻る」選択アイコンＩ６と、「上記内容でレシートを発行する」選択アイコンＩ７などを表示する画面である。
【００１６】
ここで、第１のレシートイメージＰ１は、全ての情報項目を印字する場合のレシートイメージ画像を表示する表示領域である。
【００１７】
なお、図３の第１のレシートイメージＰ１の表示例では、全ての情報項目として、「購入商品情報項目」、「合計・支払情報項目」、「電子マネー情報項目」、「ポイント情報項目」などを表示したレシートイメージ画像を表示している場合を示している。
【００１８】
選択アイコン群ＩＧは、第１のレシートイメージＰ１における情報項目毎に設けられた「印字する」選択アイコンＩ４及び「印字しない」選択アイコンＩ５を複数表示する表示領域である。なお、選択アイコン群ＩＧは、情報項目毎に、各情報項目の種別を客が認識できるように情報項目を示す文字情報（「購入商品情報項目」など）を表示している。
【００１９】
なお、図３の選択アイコン群ＩＧの表示例では、「購入商品情報項目」、「合計・支払情報項目」、「電子マネー情報項目」及び「ポイント情報項目」毎に、「印字する」選択アイコンＩ４及び「印字しない」選択アイコンＩ５を表示している場合を示しているとともに、「電子マネー情報項目」のみが、客により「印字する」選択アイコンＩ４が選択され、他の情報項目（購入商品情報項目、合計・支払情報項目及びポイント情報項目）が、客により「印字しない」選択アイコンＩ５が選択されている場合を示している。
【００２０】
第２のレシートイメージＰ２は、選択アイコン群ＩＧの各選択アイコンＩ４、Ｉ５の選択状況に応じて、第１のレシートイメージＰ１で表示されるレシートイメージ画像のうち、印字しない情報項目の表示を省略した場合のレシートイメージ画像を表示する表示領域である。
【００２１】
なお、図３の第２のレシートイメージＰ２の表示例では、選択アイコン群ＩＧにおける「電子マネー情報項目」のみが客により「印字する」選択アイコンＩ４が選択されていることから、電子マネー情報項目以外の情報項目（購入商品情報項目、合計・支払情報項目及びポイント情報項目）の表示が省略されている場合を示している。
【００２２】
「戻る」選択アイコンＩ６は、レシート発行メニュー画面Ｓ１に戻る場合に選択操作されるアイコンである。
【００２３】
「上記内容でレシートを発行する」選択アイコンＩ７は、選択アイコン群ＩＧの選択状況に対応した内容、即ち、第２のレシートイメージＰ２に表示される内容でレシートＲを印字発行する場合に選択操作されるアイコンである。
【００２４】
なお、本実施形態においては、第１のレシートイメージＰ１、選択アイコン群ＩＧ及び第２のレシートイメージＰ２は、表示する情報項目数に応じてイメージ及び選択アイコン群を拡大／縮小して一画面に収まるように表示する。
【００２５】
また、この印字情報選択画面Ｓ２においては、第１のレシートイメージＰ１で表示される各情報項目と、それら各情報項目に対応付けられた情報項目毎の選択アイコンＩ４、Ｉ５とを、客が対応関係を視認できる態様で表示するのが好ましい。
【００２６】
図１に戻って、スキャナ３は、客により読取窓にかざされた商品に付されたバーコードを読取る読取装置である。また、手持ち式スキャナ１０は、客が手持ちで商品のバーコードを読取らせる場合に用いられる読取装置である。
【００２７】
カード挿入口４は、クレジットカードや電子マネーカードなどの決済用のカードを挿入する口である。また、レシート発行口５は、チェックアウト業務が全て完了した後に印字発行されるレシートＲを排出する口である。また、硬貨投入口６は、決済用の硬貨を投入する口である。また、硬貨排出口７は、釣銭硬貨を排出する口である。また、紙幣投入口８は、決済用の紙幣を投入する口である。また、紙幣排出口９は、釣銭用の紙幣を排出する口である。
【００２８】
カメラ１１は、ＣＣＤ（Ｃｈａｒｇｅ  Ｃｏｕｐｌｅｄ  Ｄｅｖｉｃｅ）などのデジタルカメラであり、遠隔地に居るオペレータに見せる客の表情を撮影する撮影装置である。また、マイク１２は、客の音声を集音する。スピーカ１３は、オペレータの音声やエラー音などの各種音声を出力する。
【００２９】
図４は、決済端末１のハードウェア構成を説明するためのブロック図である。
【００３０】
図４に示すように、この決済端末１は、ＣＰＵ（Ｃｅｎｔｒａｌ  Ｐｒｏｃｅｓｓｉｎｇ  Ｕｎｉｔ）１６と、このＣＰＵ１６とバスラインＢＬを介して接続される前記したディスプレイ２、スキャナ３、手持ち式スキャナ１０、カメラ１１、マイク１２、スピーカ１３などや、その他、ＨＤＤ（Ｈａｒｄ  Ｄｉｓｋ  Ｄｒｉｖｅ：ハードディスク装置）１７、ＲＡＭ（Ｒａｎｄｏｍ  Ａｃｃｅｓｓ  Ｍｅｍｏｒｙ）１８、通信Ｉ／Ｆ１９、タイマ２０、硬貨投入ユニット２１、紙幣投入ユニット２２、硬貨排出ユニット２３、紙幣排出ユニット２４、未決済側計量ユニット２５、決済済側計量ユニット２６、プリンタ２７、カードリーダライタ２８などを備えるとともに、各負荷部に電力を供給する電力供給部２９などを備えている。
【００３１】
ここで、ＣＰＵ１６は、決済装置１の全体の制御、即ち、各種演算や各構成要素部に対する各種処理を制御するものである。また、ＨＤＤ１７は、決済装置１における各種処理を実行するための制御プログラム、特に、本実施形態では、後述の図６及び図７の処理を実行するための処理プログラムＰや、売上ファイルＦ１などの各種ファイルを記憶するものである。また、ＲＡＭ１８は、入力データや表示データなどの作業中のデータを一時的に記憶したり、決済装置１の起動時にＨＤＤ１７などから読み出された制御プログラムや売上ファイルＦ１などを一時的に記憶するものである。
【００３２】
通信Ｉ／Ｆ１９は、ＬＡＮ（Ｌｏｃａｌ  Ａｒｅａ  Ｎｅｔｗｏｒｋ）などを介してストアサーバ（不図示）などの外部装置と各種データの送受信を行う。
【００３３】
タイマ２０は、現在の日時を計時するとともに、特定の時刻からの計時を行う。
【００３４】
硬貨投入ユニット２１は、硬貨投入口６に投入される硬貨を処理するユニットであり、紙幣投入ユニット２２は、紙幣投入口８から投入される紙幣を処理するユニットである。また、硬貨排出ユニット２３は、硬貨排出口７から排出される硬貨を処理するユニットであり、紙幣排出ユニット２４は、紙幣排出口９から排出される紙幣を処理するユニットである。
【００３５】
未決済側計量ユニット２５は、商品載置台１４に載置された商品の重量を計測し、決済済計量ユニット２６は、商品載置台１５に載置された商品の重量を計測する。
【００３６】
プリンタ２７は、決済に係わる各種情報項目を印字したレシートＲを発行する。
【００３７】
カードリーダライタ２８は、カード挿入口４に挿入されたカードに対するデータの読取及び書込み処理を行う。
【００３８】
電力供給部２９は、コンセントなどの商用電源にプラグなどの差込み器具が接続されることで、商用電源からの電力を各負荷部に必要な電力に変換して供給する。
【００３９】
図５は、決済装置１における機能的構成を説明するためのブロック図である。
【００４０】
図５に示すように、決済装置１は、機能的構成として、一取引毎の商品登録処理を制御する商品登録制御部１１０と、一取引毎の決済（会計）処理を制御する決済制御部１２０と、決済制御部１２０の決済（会計）処理後のレシートＲの印字発行を制御するレシート発行制御部１３０とを有している。
【００４１】
なお、ここでいう一取引とは、例えば、客により、ディスプレイ２に表示される商品登録の開始を宣言する宣言キー（選択アイコン）のタッチ操作が行われ、スキャナ３または手持ち式１０による商品の登録処理が行われ、ディスプレイ２に表示される支払合計金額（請求金額）の算出／表示を指示する小計キー（選択アイコン）などのタッチ操作がされるまでの一連の処理のことである。
【００４２】
また、レシート発行制御部１３０は、レシート情報保持部１３１、画面表示部１３２、選択操作入力部１３３、レシート発行部１３４などを有している。
【００４３】
ここで、レシート情報保持部１３１は、レシートＲに印字する情報項目の情報を記憶保持するものであり、通常時にレシートＲに印字する一取引に係わる全ての情報項目に関する情報を記憶保持する全情報項目保持部１３１ａと、全情報項目保持部１３１ａに保持される情報項目のうち選択操作入力部１３３から通知された情報項目の情報のみを保持する選択情報項目保持部１３１ｂとを有している。
【００４４】
なお、全情報項目保持部１３１ａは、商品登録制御部１１０から受け取った購入商品情報や、決済制御部１２０から受け取った合計・支払情報や、電子マネー情報や、ポイント情報などからレシートＲに印字する情報項目に関する情報を記憶保持する。
【００４５】
画面表示部１３２は、前記したレシート発行メニュー画面Ｓ１及び印字情報選択画面Ｓ２をディスプレイ２に表示する。なお、この画面表示部１３２は、レシート情報保持部１３１が保持するレシート情報に基づいて印字情報選択画面Ｓ２における第１レシートイメージＰ１及び第２レシートイメージＰ２の表示を変更する。
【００４６】
選択操作入力部１３３は、ディスプレイ２に表示されたレシート発行メニュー画面Ｓ１及び印字情報選択画面Ｓ２における選択操作に基づき、画面表示部１３２に対してレシート発行メニュー画面Ｓ１及び印字情報選択画面Ｓ２の切り替え表示を指示するとともに、客により選択された情報項目をレシート情報保持部１３１に通知する。
【００４７】
レシート発行部１３４は、レシート情報保持部１３１から受け取ったレシート情報に基づいてレシートＲをプリンタ２７で印字発行する。
【００４８】
次に、前記した構成の決済装置１における処理動作について図６〜図８を用いて説明する。
【００４９】
なお、図６は、決済装置１で実行される全体的な処理の流れを示すフローチャートであり、図７は、図６のステップＳ１３０のレシート発行処理の詳細な処理の流れを説明するためのフローチャートである。
【００５０】
また、図８は、本実施形態の決済装置１で発行されるレシートＲの一構成例を示す図であり、図８（ａ）が、客が選択した情報項目を印字し且つ客が選択しない情報項目の印字をしないレシートＲ１を示し、図８（ｂ）が、全ての情報項目を印字したレシートＲ２を示している。
【００５１】
図６において、決済装置１では、まず、ステップＳ１１０において、商品登録制御部１１０が、一取引毎の商品登録処理、即ち、売上ファイルＦ１への登録処理を実行する。
【００５２】
続いて、ステップＳ１２０において、決済制御部１２０が、登録した商品の決済処理を実行する。
【００５３】
続いて、ステップＳ１３０において、レシート発行制御部１３０が、客によるレシート発行設定に基づいて、プリンタ２７によりレシートＲの印字発行処理を実行する。
【００５４】
即ち、ステップＳ１３０の処理では、図７に示すように、まず、ステップＳ１３１において、画面表示部１３２が、レシート発行メニュー画面Ｓ１をディスプレイ２に表示させ、客による選択操作の待受け処理を実行する。
【００５５】
ステップＳ１３１の処理において、選択操作入力部１３３が、客による「そのままレシート発行する」選択アイコンＩ１の選択操作を入力すると、続いて、ステップＳ１３２において、レシート発行部１３４が、全ての情報項目を印字したレシートＲ２（図８（ｂ）参照）をプリンタ２７を用いて発行し、その後、ここでの処理を終了する。
【００５６】
一方、ステップＳ１３１の処理において、選択操作入力部１３３が、客による「レシート発行しない」選択アイコンＩ３の選択操作を入力すると、プリンタ２７によるレシートＲの発行を行うことなく、ここでの処理を終了する。
【００５７】
また、一方、ステップＳ１３１の処理において、選択操作入力部１３３が、客による「印字する情報を選択する」選択アイコンＩ２の選択操作を入力すると、続いて、ステップＳ１３３において、印字情報選択画面Ｓ２をディスプレイ２に表示させ、客による選択操作の待受け処理を実行する。
【００５８】
ステップＳ１３３の処理において、選択操作入力部１３３が、選択アイコン群ＩＧの「印字する」選択アイコンＩ４または「印字しない」選択アイコンＩ５のいずれかの選択操作を入力すると、続いて、ステップＳ１３４において、レシート情報保持部１３１及び画面表示部１３２により、当該選択操作された選択アイコン（Ｉ４またはＩ５)の表示を選択状態を表す強調表示に切り替え、一方、選択されていない選択アイコン（Ｉ４またはＩ５)を非選択状態を表す非強調表示に切り替えるとともに、それら各選択アイコン（Ｉ４及びＩ５)の選択状態に応じて表示内容を変更した第２のレシートイメージＰ２を含む選択画面Ｓ２を表示する。
【００５９】
また、ステップＳ１３３の処理において、客による「上記内容でレシート発行する」選択アイコンＩ７の選択操作を入力すると、続いて、ステップＳ１３５において、レシート発行部１３４が、選択アイコン群ＩＧの選択アイコンＩ４及びＩ５の選択状態に対応した印字内容のレシートＲ、即ち、客により「印字する」選択アイコンＩ４が選択された情報項目を印字し、且つ、客により「印字しない」選択アイコンＩ５が選択された情報項目を印字しないレシートＲ１（図８（ａ）参照）をプリンタ２７を用いて発行し、ここでの処理を終了する。
【００６０】
また、一方、ステップＳ１３３の処理において、客による「戻る」選択アイコンＩ６の選択操作を入力すると、ステップＳ１３１に移行して以下同様の処理を行う。
【００６１】
以上説明した実施形態によれば、客にとって必要な情報項目を印字し且つ客にとって不要な情報項目を印字しないレシートを発行することができる。また、前記した実施形態によれば、客にとって不要な情報項目の印字が省略されることにより、発行するレシートのサイズを小さくすることができ、資源の節約を図ることができる。
【００６２】
以上、例示的な実施形態に基づいて説明したが、本実施形態は、前記した実施形態により限定されるものではない。
【００６３】
例えば、前記した実施形態では、レシートＲに印字する情報別に、印字する／印字しないのいずれかを選択するための選択アイコンとして、「印字する」選択アイコンＩ４と、「印字しない」選択アイコンＩ５との２つを備える形態について説明したが、これ以外にも、客による選択操作が行われる毎に、「印字する」／［印字しない］の文字情報を交互に表示するような選択アイコンを備える形態とすることも可能である。
【００６４】
また、前記した実施形態では、第１のレシートイメージＰ１に、実際に商品登録及び決済が行われた一取引に係わる決済情報を表示する態様について説明したが、これ以外にも、例えば、客が実際に購入した情報項目に対応する数の情報項目を有するサンプルイメージを選択的に表示するような構成とすることも可能である。
【００６５】
また、前記した実施形態では、第１のレシートイメージＰ１においては、表示する情報項目数に応じてイメージ及び選択アイコン群を拡大／縮小して一画面に収まるように表示する形態について説明したが、これ以外にも、例えば、レシートイメージの表示サイズは固定にしておき、スクロールボタンアイコンを表示させて、客のスクロール操作に基づいて、レシートイメージ及び選択アイコン群の各選択アイコンＩ４、Ｉ５を、上下方向にスクロール表示する形態とすることも可能である。
【００６６】
また、前記した実施形態では、第２のレシートイメージＰ２においては、選択アイコン群ＩＧの客の選択状況に応じてレシートイメージのサイズを変更して表示する形態について説明したが、これ以外にも、例えば、サイズは変えずに、印字する情報の表示／非表示だけを行うような形態とすることも可能である。
【００６７】
また、前記した実施形態では、レシート発行メニュー画面Ｓ１の「印字する情報を選択する」選択アイコンＩ２が選択された場合にディスプレイ２に表示される印字情報選択画面Ｓ２の選択アイコン群ＩＧを用いて、レシートＲに印字する情報を客に選択させる形態について説明したが、これ以外にも、例えば、「そのままレシート発行する」選択アイコンと、「レシート発行しない」選択アイコンと、「電子マネー情報のみ印字する」などの情報項目毎に設けられた「○○情報のみ印字する」という複数の選択アイコンを備える画面を用いて、レシートＲに印字する情報を客に選択させる形態とすることも可能である。
【００６８】
また、前記した実施形態では、第１のレシートイメージＰ１及び第２のレシートイメージＰ２を表示する印字情報選択画面Ｓ２を利用する形態について説明したが、これ以外にも、例えば、第１のレシートイメージＰ１及び第２のレシートイメージＰ２のいずれか一方のみを表示する選択画面としたり、両イメージを表示しない選択画面としたりすることも可能である。
【００６９】
また、前記した実施形態では、現金タイプの決済装置の場合について説明したが、これ以外にも、例えば、キャッシュレスタイプ、即ち、クレジットカードや電子マネーカードなどのみの決済に対応した決済装置とすることも可能である。
【００７０】
なお、前記したキャッシュレスタイプの決済装置においては、電子マネー情報項目が一つではなく、電子マネーカードの種類に応じて複数個表示し、それらの中から客に選択させることができるようにする。
【００７１】
また、前記した実施形態では、セルフ式の決済装置の場合について説明したが、これ以外にも、店員による商品登録操作及び決済操作が行われる決済装置とすることも可能である。
【００７２】
また、前記した実施形態では、ディスプレイ２に表示する選択画面（レシート発行メニュー画面Ｓ１及び印字情報選択画面Ｓ２）を利用してレシートＲに印字する情報項目を選択させる形態について説明したが、これ以外にも、例えば、予め印字する情報項目毎に割り当てられた押しボタン式のキーなどを設け、その押しボタン式のキーの押下操作に応じてレシートＲに印字する情報項目を変更するような形態とすることも可能である。
【００７３】
また、前記した実施形態の決済装置１で実行される処理プログラムＰ１は、ＲＯＭなどの記憶手段に予め組み込むように提供しても良いし、インストール可能な形式又は実行可能な形式のファイルでＣＤ−ＲＯＭ、フレキシブルディスク（ＦＤ）、ＣＤ−Ｒ、ＤＶＤ、ＵＳＢ（Ｕｎｉｖｅｒｓａｌ  Ｓｅｒｉａｌ  Ｂｕｓ）などのコンピュータで読み取り可能な記録媒体に記録して提供するように構成しても良いし、インターネットなどのネットワーク経由で提供又は配布するように構成しても良い。
【００７４】
その他、前記した実施形態における決済装置の外観、ハードウェア構成及びソフトウェア構成や、ディスプレイに表示される画面構成や、処理手順などは、単なる例として記載したものであり、本実施形態は、これらにより限定されない。
【符号の説明】
【００７５】
１  決済端末
２  ディスプレイ
Ｓ１  レシート発行メニュー画面
Ｓ２  印字情報選択画面
Ｒ、Ｒ１、Ｒ２  レシート（領収書媒体）
Ｉ１〜Ｉ７  選択アイコン
ＩＧ  選択アイコン群
Ｐ１  第１のレシートイメージ
Ｐ２  第２のレシートイメージ
１１０  商品登録制御部
１２０  決済制御部
１３０  レシート発行制御部（選択手段、発行手段）
１３１  レシート情報保持部
１３２  画面表示部
１３３  選択操作入力部（選択手段）
１３４  レシート発行部（発行手段）
【先行技術文献】
【特許文献】
【００７６】
【特許文献１】特開２００５−５６１４３号公報
【図１】
2012008840.tif 000003
【図２】
2012008840.tif 000004
【図３】
2012008840.tif 000005
【図４】
2012008840.tif 000006
【図５】
2012008840.tif 000007
【図６】
2012008840.tif 000008
【図７】
2012008840.tif 000009
【図８】
2012008840.tif 000010